(57)【要約】光ファイバレセプタクル内に適合するサイズであって、光ファイバ端子を受け入れるための長手方向通路を有するハウジングと、可撓性係止部材とを備える光ファイバコネクタを提供する。可撓性係止部材は、前記ハウジングに取り付けられたベースと、前記ベースから延びる第１の端部及び前記長手方向通路に直交する第１の方向において前記第１の端部よりも幅広の第２の端部を有する可撓部と、前記光ファイバレセプタクルの壁と係合して前記ハウジングが誤って前記レセプタクルから分離することを防止するために、前記可撓部の第２の端部から前記長手方向通路に向かって下方に延びるレッジと、を有する。
2021501362.tif 000002
【特許請求の範囲】
【請求項１】
光ファイバレセプタクル内に適合するサイズであって、光ファイバ端子を受け入れるための長手方向通路を有するハウジングと、
前記ハウジングに取り付けられたベースと、前記ベースから延びる第１の端部及び前記長手方向通路に直交する第１の方向において前記第１の端部よりも幅広の第２の端部を有する可撓部と、前記光ファイバレセプタクルの壁と係合して前記ハウジングが誤って前記レセプタクルから分離することを防止するために、前記可撓部の第２の端部から前記長手方向通路に向かって下方に延びるレッジと、を有する可撓性係止部材と、
を備えることを特徴とする光ファイバコネクタ。
【請求項２】
さらに、前記係止部材のベースを前記ハウジングに固定する固定部材を備えることを特徴とする請求項１に記載の光ファイバコネクタ。
【請求項３】
前記固定部材は、前記ハウジングの開口部のネジと螺合するネジ部を有することを特徴とする請求項２に記載の光ファイバコネクタ。
【請求項４】
前記可撓部は、取外し工具と係合するスロットを有することを特徴とする請求項１〜３のいずれか一項に記載の光ファイバコネクタ。
【請求項５】
前記可撓部は、前記ベースに隣接して撓むことを特徴とする請求項１〜４のいずれか一項に記載の光ファイバコネクタ。
【請求項６】
さらに、前記レセプタクルに取り付けられたときに前記可撓性係止部材が上方に移動するのを防ぐために、前記レッジから軸方向に延びて前記レセプタクルの一部の下側に当接するように構成された平坦部を備えることを特徴とする請求項１〜５のいずれか一項に記載の光ファイバコネクタ。
【請求項７】
さらに、前記平坦部の後方から当該平坦部と略直交して上方に延び、前記コネクタを意図的に取り外す際にユーザがつかむ領域を提供するフランジを備えることを特徴とする請求項６に記載の光ファイバコネクタ。
【請求項８】
さらに、前記係止部材を補強するために、前記可撓部の第２の端部の後方で前記平坦部から上方に延在する隆起部分を備えることを特徴とする請求項６又は７に記載の光ファイバコネクタ。
【請求項９】
前記可撓係止部材は、第１係合位置に付勢され、前記ハウジングに向かって下方の第２係合解除位置へ向けた可撓性を有することを特徴とする請求項１〜８のいずれか一項に記載の光ファイバコネクタ。
【請求項１０】
後壁を有する保持ノッチを含む光ファイバレセプタクルと、
光ファイバコネクタと、を備える光ファイバアセンブリであって、
前記光ファイバコネクタは、前記光ファイバレセプタクル内に適合するサイズであって、光ファイバ端子を受け入れるための長手方向通路を有するハウジングと、可撓性係止部材と、を有し、
前記可撓性係止部材は、前記ハウジングに取り付けられたベースと、前記ベースから延びる第１の端部及び第２の端部を有する可撓部と、前記後壁と係合するために前記可撓部の第２の端部から前記長手方向通路に向かって下方に延びるレッジと、前記レッジから軸方向に延びて前記レセプタクルの一部の下側に当接する平坦部と、を有する、
ことを特徴とする光ファイバアセンブリ。
【請求項１１】
前記保持ノッチは、前記レセプタクルの内向きに延在する部分によって形成される脚部と、前記脚部よりも幅広のヘッドチャンバとを有し、
前記後壁は、前記脚部の近位にある前記ヘッドチャンバの後部を形成することを特徴とする請求項１０に記載の光ファイバアセンブリ。
【請求項１２】
前記レセプタクルに取り付けられたときに、前記可撓性係止部材の上方移動を防ぐために前記可撓部が前記後壁に係合されると、前記平坦部が前記内向きに延在する部分の下側に当接するように構成されることを特徴とする請求項１１に記載の光ファイバアセンブリ。
【請求項１３】
さらに、前記係止部材のベースを前記ハウジングに固定する固定部材を備えることを特徴とする請求項１〜１２のいずれか一項に記載の光ファイバアセンブリ。
【請求項１４】
前記固定部材は、前記ハウジングの開口部のネジと螺合するネジ部を有することを特徴とする請求項１３に記載の光ファイバアセンブリ。
【請求項１５】
前記可撓部は、取外し工具と係合するスロットを有することを特徴とする請求項１〜１４のいずれか一項に記載の光ファイバアセンブリ。
【請求項１６】
前記可撓部は、前記ベースに隣接して撓むことを特徴とする請求項１〜１５のいずれか一項に記載の光ファイバアセンブリ。
【請求項１７】
さらに、前記平坦部の後方から当該平坦部と略直交して上方に延び、前記コネクタを意図的に取り外す際にユーザがつかむ領域を提供するフランジを備えるを特徴とする請求項１〜１６のいずれか一項に記載の光ファイバアセンブリ。
【請求項１８】
さらに、前記係止部材を補強するために、前記可撓部の第２の端部の後方で前記平坦部から上方に延在する隆起部分を備えることを特徴とする請求項１７に記載の光ファイバアセンブリ。
【請求項１９】
前記可撓係止部材は、第１係合位置に付勢され、前記ハウジングに向かって下方の第２係合解除位置へ向けた可撓性を有することを特徴とする請求項１〜１８のいずれか一項に記載の光ファイバアセンブリ。
【請求項２０】
光ファイバレセプタクル内に適合するサイズであって、光ファイバ端子を受け入れるための長手方向通路を有するハウジングと、
前記ハウジングに取り付けられたベースと、前記ベースから延びる第１の端部及び第２の端部を有する可撓部と、前記光ファイバレセプタクルの壁と係合するために前記可撓部の第２の端部から前記長手方向通路に向かって下方に延びるレッジと、前記光ファイバレセプタクルの下側と当接するために前記レッジの底部から軸方向に延びる平坦部と、を有する可撓性係止部材と、
を備えることを特徴とする光ファイバコネクタ。
【発明の詳細な説明】
【技術分野】
【０００１】
（関連出願の相互参照）
本願は、２０１７年１０月２６日出願の米国仮出願第６２／５７７，４１８号の利益を主張する。本明細書は、参照により本明細書に組み込まれる。
【背景技術】
【０００２】
軍事用、商業用航空電子工学機器、及び産業用ネットワーク機器メーカーは、さまざまな通信アプリケーションに光ファイバ部品を採用している。例示的な通信アプリケーションは、制御システムとセンサ又は他のデータ収集装置との間に動作可能な通信リンクを作成することである。光ファイバリンクの使用は、既存の電気的（例えば、「銅」）配線アーキテクチャを置き換えるためにしばしば使用される。光ファイバリンクは、高速化、電磁干渉（EMI）性能の向上、軽量化、高密度化を実現する。光ファイバリンクの他の利点は、複数の光伝搬モードを使用するより高いデータ容量を含む。さらに、光ファイバケーブル自体はプロトコルに依存しない。したがって、光ファイバケーブルを交換せずにシステムのアップグレードを行うことがしばしばある。
【０００３】
多くの光ファイバ製品は、電気通信市場向けに設計されている。しかし、これらの製品は、一般に、過度の振動、衝撃、及びデブリが存在し得る過酷な動作環境において、光ファイバシステムに悪影響を及ぼす環境要因に耐えるほどには頑丈ではない。
【０００４】
光ファイバシステムにおける弱点は、光ファイバケーブルと能動デバイス（例えば、光トランシーバ、光トランスミッタ、光レシーバ、又は光ファイバケーブルと直接連結するセンサ）との間のインターフェースである。このインターフェースを改善するために、光ファイバピグテールが一般的に使用されている。ピグテーリングは、一般に、光ファイバケーブル（又はそのためのコネクタ）の末端を能動デバイスに永久的に固着するために接着剤を使用することによって達成される。従来のピグテーリングは、製造及びサービスの問題を引き起こす。例えば、従来のピグテールを所定の位置に配置した後、光ファイバケーブル、能動デバイス、又は能動デバイスと相互接続された電子機器に何らかの異常が生じた場合、接着剤に依存するピグテールは効果的に取り外せないため、システム全体を交換しなければならない。
【発明の概要】
【発明が解決しようとする課題】
【０００５】
光ファイバシステムにおける光ファイバケーブルと能動デバイスとの間のインターフェースを改善するために、業界標準のプラグ可能なインターフェースを改善するコネクタを開示する。この結果、光ファイバケーブルと光学部品用ハウジングとの間に分離可能なインターフェースを確立するために使用される頑丈なコネクタが得られる。
【課題を解決するための手段】
【０００６】
一実施形態では、開示されるロックコネクタは、「ＬＣ」レセプタクルと互換性がある（ＬＣは、リトルコネクタ又はルセントコネクタの略語である）。開示されるコネクタは、金属部品又は環境に適した別の材料で作られた部品を含む。かかる部品は、従来のプラグ可能なＬＣコネクタと連結するために通常使用されるＬＣレセプタクルの既存の機械的特徴と互換可能なマルチピースアセンブリを形成する。
【０００７】
開示されるコネクタの分離可能な性質は、製造中及び試験中並びに現場において、光ファイバケーブル及び／又は能動デバイス（又は関連電子機器）の保守容易性をもたらす。
【０００８】
一実施形態では、ハウジングと可撓性係止部材とを備える光ファイバコネクタを提供する。ハウジングは、光ファイバレセプタクル内に適合するサイズであって、光ファイバ端子を受け入れるための長手方向通路を有する。また、可撓性係止部材は、ハウジングに取り付けられたベースと、ベースから延びる第１の端部及び長手方向通路に直交する第１の方向において第１の端部よりも幅広の第２の端部を有する可撓部と、光ファイバレセプタクルの壁と係合してハウジングが誤ってレセプタクルから分離することを防止するために、可撓部の第２の端部から長手方向通路に向かって下方に延びるレッジと、を有する。
【０００９】
別の実施形態では、光ファイバレセプタクルと、光ファイバコネクタとを備える光ファイバアセンブリを提供する。光ファイバレセプタクルは、後壁を有する保持ノッチを含む。また、光ファイバコネクタは、光ファイバレセプタクル内に適合するサイズであって、光ファイバ端子を受け入れるための長手方向通路を有するハウジングと、可撓性係止部材と、を有し、可撓性係止部材は、ハウジングに取り付けられたベースと、ベースから延びる第１の端部、及び第２の端部を有する可撓部と、上記後壁と係合するために可撓部の第２の端部から長手方向通路に向かって下方に延びるレッジと、レッジから軸方向に延びてレセプタクルの一部の下側に当接する平坦部と、を有する。
【００１０】
さらに別の実施形態では、ハウジングと可撓性係止部材とを備える光ファイバコネクタを提供する。ハウジングは、光ファイバレセプタクル内に適合するサイズであり、光ファイバ端子を受け入れるための長手方向通路を有する。可撓性係止部材は、ハウジングに取り付けられたベースと、ベースから延びる第１の端部、及び第２の端部を有する可撓部と、光ファイバレセプタクルの壁と係合するために可動部の第２の端部から長手方向通路に向かって下方に延びるレッジと、光ファイバレセプタクルの下側に当接するためにレッジの底部から軸方向に延びる平坦部と、を有する。
【図面の簡単な説明】
【００１１】
【図１】光ファイバコネクタ及びＬＣレセプタクルの斜視図である。
【図２】光ファイバコネクタの斜視図である。
【図３】光ファイバコネクタの上面図である。
【図４】光ファイバコネクタの側面図である。
【図５】図３の線５−５に沿った断面図である。
【図６】光ファイバコネクタ、ＬＣレセプタクル及び取り外し工具の斜視図である。
【図７】ＬＣレセプタクルと係合した光ファイバコネクタの斜視図である。
【図８】ＬＣレセプタクルと係合した光ファイバコネクタの断面図である。
【図９】ＬＣレセプタクルに係合したときにコネクタの係止部材に接触する取外し工具を示す。
【図１０】ＬＣレセプタクルに係合したときにコネクタの係止部材に接触する取外し工具を示す。
【図１１】第１取外し位置における取外し工具を示す。
【図１２】第１取外し位置における取外し工具を示す。
【図１３】第２取外し位置における取外し工具を示す。
【図１４】第２取外し位置における取外し工具を示す。
【図１５】第３取外し位置における取外し工具を示す。
【図１６】第３取外し位置における取外し工具を示す。
【図１７】取外し工具の斜視図である。
【図１８】ＬＣレセプタクルと係合した光ファイバコネクタの斜視図である。
【図１９】ＬＣレセプタクルに挿入される取外し工具を示す。
【図２０】ＬＣレセプタクルに挿入される取外し工具を示す。
【図２１】第１取外し位置における取外し工具を示す。
【図２２】第１取外し位置における取外し工具を示す。
【図２３】第２取外し位置における取外し工具を示す。
【図２４】第２取外し位置における取外し工具を示す。
【図２５】第３取外し位置における取外し工具を示す。
【図２６】第３取外し位置における取外し工具を示す。
【発明を実施するための形態】
【００１２】
（Ａ．定義）
本明細書で用いる「光ファイバケーブル」という用語は、バッファ付き又はジャケット付きフィラメントを有するケーブルを指す。フィラメントは、典型的にはプラスチック又はガラスで作られ、光は、典型的にはデータ通信の目的で、一端から他端へフィラメント内を伝搬する。
【００１３】
本明細書で使用される用語「光送信器」は、典型的にはレーザー又は発光ダイオード（LED）を用いて、電気信号を光信号に変換する能動デバイスを指す。
【００１４】
本明細書で用いる「光受信機」という用語は、光入力信号を電気出力信号に変換する能動デバイスを指す。
【００１５】
本明細書で使用される用語「光ファイバトランシーバ」は、光送信機及び光受信機の両方として機能する能動デバイスを指す。
【００１６】
本明細書で使用する「分離可能」という用語は、挿入及び／又は引抜きのための１つ以上の工具の使用を含む取外し可能なインターフェースを指す。典型的には、分離可能なインターフェースは、少なくとも部分的に雌部品に挿入される雄部品を含む。
【００１７】
本明細書で使用される「ピグテール」という用語は、取り外し不能な接着剤などを用いる能動光学部品（例えば、光送信機又は光受信機）への受動光ファイバケーブルのインターフェースを指す。
【００１８】
（Ｂ．分離可能な係止用光ファイバコネクタ）
図１及び図２を参照すると、分離可能な係止用光ファイバコネクタ１０及びＬＣレセプタクル１２の代表的な実施形態が示されている。図面は必ずしも縮尺通りではない。１つの実施形態に関して記載及び／又は図示されている特徴は、１つ以上の他の実施形態及び／又は他の実施形態の特徴と組み合わせて、あるいはその代わりに、同一の形式又は類似の形式で使用することができる。
【００１９】
光ファイバコネクタ１０は、コネクタ本体２０（本明細書ではハウジングとも呼ぶ）、可撓性係止部材２２（係止部材とも呼ばれる）、及び固定部材２４（例えば、図示の実施形態ではねじで表される締結具）のうちの１つ又は複数の構成要素を含む。
【００２０】
当業者であれば、ある技術者は、光ファイバケーブルの端末接続アセンブリに「コネクタ」という用語を使用し、他の技術者は、同一又は類似の接続アセンブリに「端子」という用語を使用していることは理解されるであろう。これは、その用途に大きく依存する（例えば、電気通信の技術者は、典型的には、コネクタという用語を使用し、軍事及び航空電子工学の分野の技術者は、典型的には、端子という用語を使用している）。本書では、コネクタ及び端子という用語は同じ意味を持つ。光ファイバコネクタ１０は、光ファイバケーブル用の端末接続アセンブリであり、したがって、端子（コネクタとも呼ぶ）といえる。
【００２１】
コネクタ１０は、ＬＣレセプタクル１２の幾何学的形状と調和し、適合するようにサイズが決められ、形状が決められている。例えば、図示された実施形態では、ハウジングは、概して、断面視長方形である。図示のレセプタクルは、コネクタを受け入れるための２つの領域を含む。但し、レセプタクルは、対応するコネクタを受け入れるため、適宜任意の数の受け入れ領域を有することができることが理解されよう。コネクタ１０は、分離可能なインターフェースの雄型構成要素とみなすことができ、レセプタクル１２は、分離可能なインターフェースの雌型構成要素とみなすことができる。レセプタクル１２は、光学部品３２（図７に示される）のハウジング３０によって画定される。以下に詳細に説明するように、コネクタ１０によって保持される光ファイバ端子３６のフェルール３４は、光学部品３２と連結する。光学部品３２は、上述したような能動デバイス、又は受動光学素子（例えば、別の光ファイバケーブル又は光カプラ）であってもよい。ハウジング２０は、レセプタクル１２内で半径方向に安定しており、ハウジング２０の長軸を横切る方向（例えば、直交する方向）において、レセプタクル１２に対してほとんど又は全く移動しない（例えば、ハウジング２０は、レセプタクル１２の横方向及び垂直方向において、レセプタクル１２に対してほとんど又は全く移動しない）。また、ハウジング２０は、レセプタクル１２内で回転方向に安定しており、レセプタクル１２に対してほとんど又は全く回転をしない。「ほとんど移動しない」とは、製造システム、軍用又は商用航空機（飛行機及びヘリコプター）、水上機若しくは陸上の乗物、又は同様の環境でみられる振動及び衝撃のような極端な機械的ストレスのかかる間でさえも、光学システムの動作に混乱を生じさせる量よりも移動量が少ないことを言う。
【００２２】
レセプタクル１２がＬＣレセプタクルである場合に限定されないが、いくつかの実施形態では、レセプタクル１２は、ハウジング３０内に「Ｔ」字形ノッチなどの保持ノッチ１００を含む。「Ｔ」字形保持ノッチ１００は、ハウジングの半径方向内向きに延在する部分１２６によって形成される脚部１２２と、脚部１２２よりも幅広の矩形ヘッドチャンバ４２とを含む。脚部１２２は、ハウジング２０が嵌合するレセプタクル１２の開口部１２４からヘッドチャンバ４２を隔てている。脚部１２２の近位のヘッドチャンバ４２の後方境界壁４４は、係止部材２２が係合する肩部とみなすことができる。
【００２３】
固定部材２４は、係止部材２２をハウジング２０に固定する。固定部材２４、係止部材２２及びハウジング２０の各々は、コネクタ１０とレセプタクル１２との間のインターフェースを確立するために組み立てられる別々の構成要素である。固定部材２４は、一実施形態では、係止部材２２をハウジング２０に固定する締結具の形態である。固定部材２４は、例えば、ハウジング２０内のネジ付き開口５６（図５）に係合するネジ式締結具であってもよい。他の実施形態では、係止部材２２が、ハウジング２０内の受入れ開口に圧入されて係止部材２２をハウジング２０に固定する、リベット留め、溶接、スウェージ留め、等々の固定部材２４を含む。
【００２４】
係止部材２２は、固定部材２４を受け入れるためにハウジング内の開口５６に合わせて配置された開口を有するベース８０を含む。ベース８０から延びるのは、湾曲しており、取外し工具と係合する任意のスロット８４を含む、可撓部８２である。可撓部８２は、ベース８０から延びる第１の端部８６と、第１の端部８６よりも横方向に広い第２の端部８８とを有する。可撓部８２は、第１の端部８６の近くでベース８０に隣接して撓むように設計され、コネクタ１０の取外しを可能にする。可撓部の第２の端部８８から下方に延びるのは、後方境界壁４４の対応する部分と係合してコネクタ１０の軸方向への取外しを防止すると共に、コネクタがレセプタクル１２に対して後方に移動しない又はほとんど移動しないように安定性を与えるレッジ９０である。レッジ９０の底部から軸方向に延びるのは、レセプタクル１２に取り付けられたときに係止部材２２が上方へ移動するのを防止するために、部分１２６の下側に当接する平坦部９２である。
【００２５】
係止部材２２はまた、平坦部９２の後方から平坦部９２と略直交して上方に延び、工具を使用せずにユーザがコネクタ１０を意図的に取外す際に係合する領域を提供する任意のフランジ９４と、係止部材２２を補強するために可撓部８２の第２の端部８８の後方で平端部９２から上方に延在する隆起部分９６とを含む。係止部材は、硬化ステンレス鋼、銅、又はベリリウムのような、元の形状に戻る性質を有する適宜の可撓性材料で作ることができる。ハウジング２０は、同様の材料で作ることができる。係止部材は、保持力及び剛性を担保するように長さが短く設計され、係止部材がベース８０に隣接して撓むのを補助すると共に、ケーブルが引っ張られるほど硬く締め付けられる自己補強嵌合を提供する。係止部材は、それによって、偶発的な取外しを防止する。
【００２６】
次に図５を参照すると、光ファイバ端子３６は、以下の構成要素のうちの１つ又は複数を含み得る：フェルール３４、取付具６０、張力緩和ブーツ６２、スプリング６４、及び光ファイバケーブル６８。フェルール３４は、ハウジング２０内の長手方向通路５８内に配置され、光学部品３２と連結するために本体から延在する部分を有する。フェルール３４は、フェルール３４及び取付具６０に着座するスプリング６４によって前方方向に付勢される。前方方向とは、光ファイバケーブル６８の長軸に沿った方向であって、光学部品３２に向かう方向を指す。取付具６０は、通路５８内の対応するネジ部と螺合するネジ部と、光ファイバケーブル６８によって取り囲まれるローレット部、即ち、張力緩和ブーツ６２によって取り囲まれるローレット部とを有する。
【００２７】
次に、図６〜図１８を参照し、コネクタ１０及びＬＣレセプタクル１２の例示的な組立て及び分解方法を示す。
【００２８】
図７及び図８は、ＬＣレセプタクルに係合された係合位置にあるコネクタ１０を示す。コネクタ１０に係合するために、ハウジング２０はハウジング３０内に押し込まれる。ハウジング２０が前方方向に押し込まれると、可撓部８２は、レセプタクル１２の部分１２６に接触し、ハウジング２０の方向に撓む。ハウジング２０は、可撓部８２が脚部を通過し、ヘッドチャンバ４２内に向けて上方に撓むまで（レッジ９０が図８に示す肩部４４と係合するまで）、さらに押し込まれる。これにより、光ファイバ端子３６は、レセプタクル１２内の光学部品３２と連結される。
【００２９】
図９及び図１０は、係止部材２２が係合位置にあるときにこれに接触する取外し工具１５０を示す。取外し工具１５０は、本体１５２と、本体から下方に延び、第２の端部８８において隆起部分９６と可撓部８２とに当接するように構成された第１の部分１５４と、第１の部分１５４から下方に延び、スロット８４内に延びるように構成された第２の部分１５６とを含む。第１の部分１５４は、工具がレセプタクル１２内に挿入され、レセプタクルから取り外されるときに、脚部１２２内に適合するサイズとされる。
【００３０】
図１１及び図１２は、本体１５２の下側をハウジング３０の頂部に当接するまで下方に移動させ、それによって、第１の部分１５４を本体２０に向かって可撓部８２を下方に移動させて、レッジ９０を肩部４４から解放する、第１取外し位置にある取外し工具１５０を示す。
【００３１】
図１３及び図１４は、コネクタ１０がレセプタクル１２から部分的に取り外された、第２取外し位置にある取外し工具１５０を示す。第１取外し位置から第２取外し位置に移動する際、取外し工具１５０は前方方向と反対の方向に移動し、第２の部分１５６はスロット８４の後方部分と係合してコネクタ１０を移動させる。
【００３２】
図１５及び図１６は、取外し工具１５０が第３取外し位置にある状態、即ち、コネクタ１０がレセプタクル１２から完全に取り外されるも、可撓部８２が依然として下方に撓んでいる状態を示す。その後、取外し工具１５０がコネクタ１０から離される。
【００３３】
次に、図１８〜２６を参照し、コネクタ２１０及びＬＣレセプタクル２１２の例示的な組立て及び解体方法を示す。コネクタ２１０及びＬＣレセプタクル２１２は、上述のコネクタ１０及びＬＣレセプタクル１２と略同一であり、対応するコネクタ及びレセプタクルの類似の構造については同じ参照番号に２００を付したものが使用される。また、コネクタ１０及びＬＣレセプタクル１２の前記の説明は、以下に指摘する場合を除いて、コネクタ２１０及びＬＣレセプタクル２１２に等しく適用可能である。具体的には、ＬＣレセプタクル２１２は、ハウジング２３０が肩部２４４を覆う頂部２３８を有する閉鎖型レセプタクルである。
【００３４】
図１８は、ＬＣレセプタクル２１２と係合した係合位置にあるコネクタ２１０を示す。コネクタ２１０と係合するために、ハウジング２２０はハウジング２３０内に押し込まれる。ハウジング２２０が前方方向に押し込まれると、可撓部２８２（図２５）は、レセプタクル２１２の部分３２６に接触し、ハウジング２２０の方向に撓む。ハウジング２２０は、可撓部２８２が脚部を通過し、ヘッドチャンバ内に向けて上方に撓むまで（レッジ２９０（図２５）が肩部２４４（図２０）と係合するまで）、さらに押し込まれる。これにより、光ファイバ端子は、レセプタクル１２内の光学部品と連結される。
【００３５】
図１９及び図２０は、係止部材２２２が係合位置にあるときに、取外し工具３５０を先ずＬＣレセプタクル２１２の開口部３２４に挿入した後の状態を示す。取外し工具３５０は、本体３５２と、本体の端部に隣接する開口領域３５４と、本体３５２の底部の下方で開口領域３５４から下方に突出する突起３５６とを含む。突起３５６は、スロット２８４の後方部分と係合するように構成される。
【００３６】
図２１及び図２２は、取外し工具３５０が第１取外し位置にある状態、即ち、取外し工具３５０の底部を係止部材２２２に当接させて可撓部２８２を本体２０に向けて下方に撓ませ、レッジ２９０を肩部２４４から解放するまで、取外し工具３５０をコネクタ２１０に向けて下方に移動させた状態を示す。
【００３７】
図２３及び図２４は、取外し工具３５０が第２取外し位置にある状態、即ち、突起３５６の端部がスロット２８４の後方部分に係合するまで、取外し工具を前方方向に移動させた状態を示す。
【００３８】
図２５及び図５６は、取外し工具が第３取外し位置にある状態、即ち、コネクタ２１０がレセプタクル２１２から部分的に取り外されるも、可撓部２８２が依然として下方に撓んでいる状態を示す。第２取外し位置から第３取外し位置に移動する際、取外し工具３５０は、スロット８４に係合された突起３５６と共に前方方向とは反対の方向に移動し、コネクタ２１０をレセプタクルから移動させる。コネクタ２１０は、さらに、コネクタ２１０がレセプタクル２１２から完全に取り外される第４取外し位置に移動され、次いで取外し工具３５０がコネクタ２１０から離される。
【００３９】
本開示のさらなる態様は、本明細書の一部をなす特許請求の範囲から理解されるであろう。
【図１】
2021501362.tif 000003
【図２】
2021501362.tif 000004
【図３】
2021501362.tif 000005
【図４】
2021501362.tif 000006
【図５】
2021501362.tif 000007
【図６】
2021501362.tif 000008
【図７】
2021501362.tif 000009
【図８】
2021501362.tif 000010
【図９】
2021501362.tif 000011
【図１０】
2021501362.tif 000012
【図１１】
2021501362.tif 000013
【図１２】
2021501362.tif 000014
【図１３】
2021501362.tif 000015
【図１４】
2021501362.tif 000016
【図１５】
2021501362.tif 000017
【図１６】
2021501362.tif 000018
【図１７】
2021501362.tif 000019
【図１８】
2021501362.tif 000020
【図１９】
2021501362.tif 000021
【図２０】
2021501362.tif 000022
【図２１】
2021501362.tif 000023
【図２２】
2021501362.tif 000024
【図２３】
2021501362.tif 000025
【図２４】
2021501362.tif 000026
【図２５】
2021501362.tif 000027
【図２６】
2021501362.tif 000028
【国際調査報告】
2021501362.tif 000029
2021501362.tif 000030
2021501362.tif 000031
2021501362.tif 000032